(57)【要約】【課題】本発明は水冷パソコンケースを開示した。【解決手段】パソコンケースと前記パソコンケースの左側端壁の中に位置している電気器具チャンバとを含み、前記電気器具チャンバの底壁の中には揺動チャンバが設置され、前記揺動チャンバの中には第一回転軸が回転できるように設置され、前記第一回転軸の外面には回転ドアとウォームホイールとが固定的に設置され、本発明のパソコンケースは自動的に開け又は閉めるドアが設置され、それによりマザーボード架台を設備の外部に送ることができ、取り付けることと後期のメンテナンスに便利であり、また設備の中には水冷循環装置が設置され、マザーボードの放熱スピードを速くすることができる。【選択図】図１
2020177622.tif 000002
【特許請求の範囲】
【請求項１】
正面視で、パソコンケースと前記パソコンケースの左側端壁の中に位置している電気器具チャンバとを含み、前記電気器具チャンバの底壁の中には揺動チャンバが設置され、前記揺動チャンバの中には第一回転軸が回転できるように設置され、前記第一回転軸の外面には回転ドアとウォームホイールとが固定的に設置され、前記回転ドアの左側端壁にはパッドが固定的に設置され、前記揺動チャンバの右側端壁の中には伝動チャンバが設置され、前記伝動チャンバと前記揺動チャンバとの間には前記ウォームホイールと噛み合っているウォームロッドが回転できるように設置され、前記伝動チャンバの中の前記ウォームロッドの末端には第一傘歯車が固定的に設置され、前記電気器具チャンバの右側端壁の中には切換チャンバが設置され、前記切換チャンバと前記電気器具チャンバとの間にはネジスリーブが回転できるように設置され、前記切換チャンバの中の前記ネジスリーブの外面には第一歯車が固定的に設置され、前記ネジスリーブの左側端壁の中には左方に開口した第一ネジ孔が設置され、前記第一ネジ孔の中にはネジロッドがネジ山により結合され、前記ネジロッドの左方へ伸びている末端にはマザーボード架台が固定的に設置され、前記マザーボード架台の左側端壁にはマザーボードが固定的に設置され、前記電気器具チャンバの右側端壁の中には第一スライド孔が設置され、前記第一スライド孔の中には前記マザーボード架台と固定的に連結された第一スライドロッドが設置され、前記切換チャンバの左側端壁の中にはスライドチャンバが設置され、前記スライドチャンバの中にはスライドブロックがスライドできるように設置され、前記スライドブロックの右側端壁の中には第一モーターが設置され、前記第一モーターの右方へ伸びている末端には第二歯車が固定的に設置され、前記スライドブロックの中には上下に貫通している第二ネジ孔が設置され、前記第二ネジ孔の中には第二ネジロッドがねじ山により連結され、前記第二ネジロッドの頂部末端が前記スライドチャンバの頂壁の中に設置された第二モーターと動力が伝達できるように連結され、前記第二ネジロッドの底部末端が前記伝動チャンバの中に伸びており、且つ前記第二ネジロッドの底部末端には前記第一傘歯車と噛み合っている第二傘歯車が固定的に設置され、ウォームホイールが回転して前記回転ドア４２を連動回転させて開け、取り付けることとメンテナンスのことに便利を与えることを特徴とする水冷パソコンケース。
【請求項２】
前記切換チャンバの右側端壁の中には放熱チャンバが設置され、前記放熱チャンバと前記切換チャンバとの間には第二回転軸が回転できるように設置され、前記切換チャンバの中の前記第二回転軸の末端には第三歯車が固定的に設置され、前記放熱チャンバの中の前記第二回転軸の末端には扇風機が固定的に設置され、前記放熱チャンバの頂壁の中にはカムチャンバが設置され、前記カムチャンバと前記切換チャンバとの間にはベルトチャンバが設置され、前記ベルトチャンバと前記カムチャンバとの間には第三回転軸が回転できるようにに設置され、前記ベルトチャンバの中の前記第三回転軸の末端には第一プーリが固定的に設置され、前記カムチャンバの中の前記第三回転軸の末端にはカムが固定的に設置され、前記ベルトチャンバと前記切換チャンバとの間には第四回転軸が回転できるように設置され、前記ベルトチャンバの中の前記第四回転軸の末端には第二プーリが固定的に設置され、前記第二プーリと前記第一プーリとの間がベルトにより伝動できるように連結され、前記切換チャンバの中の第四回転軸の末端には前記第二歯車と前記第三歯車と噛み合っている第四歯車が固定的に設置され、前記扇風機が回転し、設備の放熱スピードを速くすることを特徴とする請求項１に記載の水冷パソコンケース。
【請求項３】
前記カムチャンバの頂壁の中にはピストンチャンバが設置され、前記ピストンチャンバの中にはピストンがスライドできるように設置され、前記ピストンの中には左右対称のチェックバルブが設置され、前記ピストンチャンバと前記カムチャンバとの間には第二スライド孔が連通するように設置され、前記第二スライド孔の中には前記ピストンと固定的に連結された第二スライドロッドがスライドできるように設置され、前記第二スライドトッドと前記第二スライド孔の端壁との間には弾性リセット装置が弾性を持つように設置され、前記マザーボード架台の中には前記ピストンチャンバの頂壁に連通している第一冷却コイルが設置され、前記放熱チャンバの中には前記第一冷却コイルと連通している第二冷却コイルが設置され、前記第二冷却コイルの頂部末端が前記ピストンチャンバの底部に連通しており、前記ピストンが上下に移動して前記第一冷却コイルと前記第二冷却コイルとの中の冷却流体の循環を実現し、冷却のスピードを速くすることを特徴とする請求項１に記載の水冷パソコンケース。
【発明の詳細な説明】
【技術分野】
【０００１】
本発明はパソコングッズ分野に関し、具体的には水冷パソコンケースである。
【背景技術】
【０００２】
人々はパソコンを使うとき、常にマザーボードにあるチップの放熱スピードが低いため、パソコンのチップの温度が高すぎ、性能が下がる結果をもたらし、また伝統的なパソコンケースの取り付けが不便であり、メンテナンスが難しく、したがって、上記の問題を解決するため、水冷パソコンケースの発明は必要となる。
【先行技術文献】
【特許文献】
【０００３】
【特許文献１】中国特許出願公開第１０３７９３０２６号明細書
【発明の概要】
【発明が解決しようとする課題】
【０００４】
本発明は水冷パソコンケースを提供し、既存技術にある上記の欠点を解消し、設備の実用性を高めることを目的とする。
【課題を解決するための手段】
【０００５】
本発明の水冷パソコンケースは、パソコンケースと前記パソコンケースの左側端壁の中に位置している電気器具チャンバとを含み、前記電気器具チャンバの底壁の中には揺動チャンバが設置され、前記揺動チャンバの中には第一回転軸が回転できるように設置され、前記第一回転軸の外面には回転ドアとウォームホイールとが固定的に設置され、前記回転ドアの左側端壁にはパッドが固定的に設置され、前記揺動チャンバの右側端壁の中には伝動チャンバが設置され、前記伝動チャンバと前記揺動チャンバとの間には前記ウォームホイールと噛み合っているウォームロッドが回転できるように設置され、前記伝動チャンバの中の前記ウォームロッドの末端には第一傘歯車が固定的に設置され、前記電気器具チャンバの右側端壁の中には切換チャンバが設置され、前記切換チャンバと前記電気器具チャンバとの間にはネジスリーブが回転できるように設置され、前記切換チャンバの中の前記ネジスリーブの外面には第一歯車が固定的に設置され、前記ネジスリーブの左側端壁の中には左方に開口した第一ネジ孔が設置され、前記第一ネジ孔の中にはネジロッドがネジ山により結合され、前記ネジロッドの左方へ伸びている末端にはマザーボード架台が固定的に設置され、前記マザーボード架台の左側端壁にはマザーボードが固定的に設置され、前記電気器具チャンバの右側端壁の中には第一スライド孔が設置され、前記第一スライド孔の中には前記マザーボード架台と固定的に連結された第一スライドロッドが設置され、前記切換チャンバの左側端壁の中にはスライドチャンバが設置され、前記スライドチャンバの中にはスライドブロックがスライドできるように設置され、前記スライドブロックの右側端壁の中には第一モーターが設置され、前記第一モーターの右方へ伸びている末端には第二歯車が固定的に設置され、前記スライドブロックの中には上下に貫通している第二ネジ孔が設置され、前記第二ネジ孔の中には第二ネジロッドがねじ山により連結され、前記第二ネジロッドの頂部末端が前記スライドチャンバの頂壁の中に設置された第二モーターと動力が伝達できるように連結され、前記第二ネジロッドの底部末端が前記伝動チャンバの中に伸びており、且つ前記第二ネジロッドの底部末端には前記第一傘歯車と噛み合っている第二傘歯車が固定的に設置され、ウォームホイールが回転して前記回転ドアを連動回転させて開け、取り付けることとメンテナンスのことに便利を与える。
【０００６】
好ましくは、前記切換チャンバの右側端壁の中には放熱チャンバが設置され、前記放熱チャンバと前記切換チャンバとの間には第二回転軸が回転できるように設置され、前記切換チャンバの中の前記第二回転軸の末端には第三歯車が固定的に設置され、前記放熱チャンバの中の前記第二回転軸の末端には扇風機が固定的に設置され、前記放熱チャンバの頂壁の中にはカムチャンバが設置され、前記カムチャンバと前記切換チャンバとの間にはベルトチャンバが設置され、前記ベルトチャンバと前記カムチャンバとの間には第三回転軸が回転できるようにに設置され、前記ベルトチャンバの中の前記第三回転軸の末端には第一プーリが固定的に設置され、前記カムチャンバの中の前記第三回転軸の末端にはカムが固定的に設置され、前記ベルトチャンバと前記切換チャンバとの間には第四回転軸が回転できるように設置され、前記ベルトチャンバの中の前記第四回転軸の末端には第二プーリが固定的に設置され、前記第二プーリと前記第一プーリとの間がベルトにより伝動できるように連結され、前記切換チャンバの中の第四回転軸の末端には前記第二歯車と前記第三歯車と噛み合っている第四歯車が固定的に設置され、前記扇風機が回転し、設備の放熱スピードを速くする。
【０００７】
好ましくは、前記カムチャンバの頂壁の中にはピストンチャンバが設置され、前記ピストンチャンバの中にはピストンがスライドできるように設置され、前記ピストンの中には左右対称のチェックバルブが設置され、前記ピストンチャンバと前記カムチャンバとの間には第二スライド孔が連通するように設置され、前記第二スライド孔の中には前記ピストンと固定的に連結された第二スライドロッドがスライドできるように設置され、前記第二スライドトッドと前記第二スライド孔の端壁との間には弾性リセット装置が弾性を持つように設置され、前記マザーボード架台の中には前記ピストンチャンバの頂壁に連通している第一冷却コイルが設置され、前記放熱チャンバの中には前記第一冷却コイルと連通している第二冷却コイルが設置され、前記第二冷却コイルの頂部末端が前記ピストンチャンバの底部に連通しており、前記ピストンが上下に移動して、前記第一冷却コイルと前記第二冷却コイルとの中の冷却流体の循環を実現し、冷却のスピードを速くする。
【発明の効果】
【０００８】
本発明の有益な効果は：本発明のパソコンケースは自動的に開け又は閉めるドアが設置され、それによりマザーボード架台を設備の外部に送ることができ、取り付けることと後期のメンテナンスに便利であり、また設備の中には水冷循環装置が設置され、マザーボードの放熱スピードを速くすることができる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水冷パソコンケースの全体構造略図
【図２】図２は図１のＡの拡大構造略図
【図３】図３は図１の右側面図
【図４】図４は図１のＢの拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明の水冷パソコンケースは、パソコンケース１０と前記パソコンケース１０の左側端壁の中に位置している電気器具チャンバ４４とを含み、前記電気器具チャンバ４４の底壁の中には揺動チャンバ２９が設置され、前記揺動チャンバ２９の中には第一回転軸２７が回転できるように設置され、前記第一回転軸２７の外面には回転ドア４２とウォームホイール２８とが固定的に設置され、前記回転ドア４２の左側端壁にはパッド４３が固定的に設置され、前記揺動チャンバ２９の右側端壁の中には伝動チャンバ２４が設置され、前記伝動チャンバ２４と前記揺動チャンバ２９との間には前記ウォームホイール２８と噛み合っているウォームロッド２６が回転できるように設置され、前記伝動チャンバ２４の中の前記ウォームロッド２６の末端には第一傘歯車２５が固定的に設置され、前記電気器具チャンバ４４の右側端壁の中には切換チャンバ２１が設置され、前記切換チャンバ２１と前記電気器具チャンバ４４との間にはネジスリーブ３７が回転できるように設置され、前記切換チャンバ２１の中の前記ネジスリーブ３７の外面には第一歯車４５が固定的に設置され、前記ネジスリーブ３７の左側端壁の中には左方に開口した第一ネジ孔３９が設置され、前記第一ネジ孔３９の中にはネジロッド３８がネジ山により結合され、前記ネジロッド３８の左方へ伸びている末端にはマザーボード架台４０が固定的に設置され、前記マザーボード架台４０の左側端壁にはマザーボード４１が固定的に設置され、前記電気器具チャンバ４４の右側端壁の中には第一スライド孔４６が設置され、前記第一スライド孔４６の中には前記マザーボード架台４０と固定的に連結された第一スライドロッド４７が設置され、前記切換チャンバ２１の左側端壁の中にはスライドチャンバ３５が設置され、前記スライドチャンバ３５の中にはスライドブロック３３がスライドできるように設置され、前記スライドブロック３３の右側端壁の中には第一モーター３２が設置され、前記第一モーター３２の右方へ伸びている末端には第二歯車３１が固定的に設置され、前記スライドブロック３３の中には上下に貫通している第二ネジ孔３４が設置され、前記第二ネジ孔３４の中には第二ネジロッド３６がねじ山により連結され、前記第二ネジロッド３６の頂部末端が前記スライドチャンバ３５の頂壁の中に設置された第二モーター１５と動力が伝達できるように連結され、前記第二ネジロッド３６の底部末端が前記伝動チャンバ２４の中に伸びており、且つ前記第二ネジロッド３６の底部末端には前記第一傘歯車２５と噛み合っている第二傘歯車２３が固定的に設置され、ウォームホイール２８が回転して前記回転ドア４２を連動回転させて開け、取り付けることとメンテナンスのことに便利を与える。
【００１３】
有益的には、前記切換チャンバ２１の右側端壁の中には放熱チャンバ２０が設置され、前記放熱チャンバ２０と前記切換チャンバ２１との間には第二回転軸１８が回転できるように設置され、前記切換チャンバ２１の中の前記第二回転軸１８の末端には第三歯車１６が固定的に設置され、前記放熱チャンバ２０の中の前記第二回転軸１８の末端には扇風機１９が固定的に設置され、前記放熱チャンバ２０の頂壁の中にはカムチャンバ５６が設置され、前記カムチャンバ５６と前記切換チャンバ２１との間にはベルトチャンバ４９が設置され、前記ベルトチャンバ４９と前記カムチャンバ５６との間には第三回転軸５１が回転できるようにに設置され、前記ベルトチャンバ４９の中の前記第三回転軸５１の末端には第一プーリ５０が固定的に設置され、前記カムチャンバ５６の中の前記第三回転軸５１の末端にはカム５２が固定的に設置され、前記ベルトチャンバ４９と前記切換チャンバ２１との間には第四回転軸５４が回転できるように設置され、前記ベルトチャンバ４９の中の前記第四回転軸５４の末端には第二プーリ５５が固定的に設置され、前記第二プーリ５５と前記第一プーリ５０との間がベルト５３により伝動できるように連結され、前記切換チャンバ２１の中の第四回転軸５４の末端には前記第二歯車３１と前記第三歯車１６と噛み合っている第四歯車３０が固定的に設置され、前記扇風機１９が回転し、設備の放熱スピードを速くする。
【００１４】
有益的には、前記カムチャンバ５６の頂壁の中にはピストンチャンバ１１が設置され、前記ピストンチャンバ１１の中にはピストン１３がスライドできるように設置され、前記ピストン１３の中には左右対称のチェックバルブ１２が設置され、前記ピストンチャンバ１１と前記カムチャンバ５６との間には第二スライド孔５８が連通するように設置され、前記第二スライド孔５８の中には前記ピストン１３と固定的に連結された第二スライドロッド５７がスライドできるように設置され、前記第二スライドトッド５７と前記第二スライド孔５８の端壁との間には弾性リセット装置１４が弾性を持つように設置され、前記マザーボード架台４０の中には前記ピストンチャンバ１１の頂壁に連通している第一冷却コイル４８が設置され、前記放熱チャンバ２０の中には前記第一冷却コイル４８と連通している第二冷却コイル１７が設置され、前記第二冷却コイル１７の頂部末端が前記ピストンチャンバ１１の底部に連通しており、前記ピストン１３が上下に移動して前記第一冷却コイル４８と前記第二冷却コイル１７との中の冷却流体の循環を実現し、冷却のスピードを速くする。
【００１５】
下記に、出願人は付図１〜４及び以上に説明した本出願の水冷パソコンケースの具体的な構成を参考し、詳しくその使い方を紹介する：
【００１６】
第二モーター１５が始動されて第二ネジロッド３６を回転連動させ、それにより第二傘歯車２３と、第一傘歯車２５と、ウォームロッド２６と、ウォームホイール２８と第一回転軸２７とを回転連動させ、それにより回転ドア４２を回転連動させて開け、同時に第二ネジロッド３６が回転してスライドブロック３３を上方へ移動連動させ、それにより第二歯車３１を連動させて第一歯車４５と噛み合わせ、第一モーター３２を始動して回転させて第二歯車３１と、第一歯車４５とネジスリーブ３７とを回転連動させ、それによりマザーボード架台４０を連動させて電気器具チャンバ４４から張り出させ、このとき、マザーボード４１をマザーボード架台４０に固定して第一冷却コイル４８と貼り合わせ、このとき、第一モーター３２を始動して回転させてマザーボード４１を復帰連動させ、第二モーター１５を始動して反転させて回転ドア４２を連動させて閉め、同時にスライドブロック３３を下方へ移動連動させて復帰させ、このとき、第一モーター３２を始動して回転させて第二歯車３１と、第四歯車３０と第三歯車１６とを回転連動させ、第三歯車１６が回転して第二プーリ５５と、第一プーリ５０とカム５２とを順次に回転連動させ、それにより第二スライドロッド５７を上下に移動連動させ、それによりピストン１３を上下に移動連動させ、それにより第一冷却コイル４８と、第二冷却コイル１７とピストンチャンバ１７との中の冷却流体を循環に流れることを実現し、同時に第四歯車３０が回転して扇風機１９を回転連動させて第二冷却コイル１７を放熱させ、またピストンチャンバ１１の中の冷却流体自身が放熱し、それによりマザーボード４１が放熱することを実現できる。
【００１７】
以上の詳しい分析からわかっているのは：本発明のパソコンケースは自動的に開け又は閉めるドアが設置され、それによりマザーボード架台を設備の外部に送ることができ、取り付けることと後期のメンテナンスに便利であり、また設備の中には水冷循環装置が設置され、マザーボードの放熱スピードを速くすることができる。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020177622.tif 000003
【図２】
2020177622.tif 000004
【図３】
2020177622.tif 000005
【図４】
2020177622.tif 000006
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
正面視で、パソコンケースと前記パソコンケースの左側端壁の中に位置している電気器具チャンバとを含み、前記電気器具チャンバの底壁の中には揺動チャンバが設置され、前記揺動チャンバの中には第一回転軸が回転できるように設置され、前記第一回転軸の外面には回転ドアとウォームホイールとが固定的に設置され、前記回転ドアの左側端壁にはパッドが固定的に設置され、前記揺動チャンバの右側端壁の中には伝動チャンバが設置され、前記伝動チャンバと前記揺動チャンバとの間には前記ウォームホイールと噛み合っているウォームロッドが回転できるように設置され、前記伝動チャンバの中の前記ウォームロッドの末端には第一傘歯車が固定的に設置され、前記電気器具チャンバの右側端壁の中には切換チャンバが設置され、前記切換チャンバと前記電気器具チャンバとの間にはネジスリーブが回転できるように設置され、前記切換チャンバの中の前記ネジスリーブの外面には第一歯車が固定的に設置され、前記ネジスリーブの左側端壁の中には左方に開口した第一ネジ孔が設置され、前記第一ネジ孔の中にはネジロッドがネジ山により結合され、前記ネジロッドの左方へ伸びている末端にはマザーボード架台が固定的に設置され、前記マザーボード架台の左側端壁にはマザーボードが固定的に設置され、前記電気器具チャンバの右側端壁の中には第一スライド孔が設置され、前記第一スライド孔の中には前記マザーボード架台と固定的に連結された第一スライドロッドが設置され、前記切換チャンバの左側端壁の中にはスライドチャンバが設置され、前記スライドチャンバの中にはスライドブロックがスライドできるように設置され、前記スライドブロックの右側端壁の中には第一モーターが設置され、前記第一モーターの右方へ伸びている末端には第二歯車が固定的に設置され、前記スライドブロックの中には上下に貫通している第二ネジ孔が設置され、前記第二ネジ孔の中には第二ネジロッドがねじ山により連結され、前記第二ネジロッドの頂部末端が前記スライドチャンバの頂壁の中に設置された第二モーターと動力が伝達できるように連結され、前記第二ネジロッドの底部末端が前記伝動チャンバの中に伸びており、且つ前記第二ネジロッドの底部末端には前記第一傘歯車と噛み合っている第二傘歯車が固定的に設置され、ウォームホイールが回転して前記回転ドア４２を連動回転させて開け、取り付けることとメンテナンスのことに便利を与えることを特徴とする水冷パソコンケース。
【請求項２】
前記切換チャンバの右側端壁の中には放熱チャンバが設置され、前記放熱チャンバと前記切換チャンバとの間には第二回転軸が回転できるように設置され、前記切換チャンバの中の前記第二回転軸の末端には第三歯車が固定的に設置され、前記放熱チャンバの中の前記第二回転軸の末端には扇風機が固定的に設置され、前記放熱チャンバの頂壁の中にはカムチャンバが設置され、前記カムチャンバと前記切換チャンバとの間にはベルトチャンバが設置され、前記ベルトチャンバと前記カムチャンバとの間には第三回転軸が回転できるようにに設置され、前記ベルトチャンバの中の前記第三回転軸の末端には第一プーリが固定的に設置され、前記カムチャンバの中の前記第三回転軸の末端にはカムが固定的に設置され、前記ベルトチャンバと前記切換チャンバとの間には第四回転軸が回転できるように設置され、前記ベルトチャンバの中の前記第四回転軸の末端には第二プーリが固定的に設置され、前記第二プーリと前記第一プーリとの間がベルトにより伝動できるように連結され、前記切換チャンバの中の第四回転軸の末端には前記第二歯車と前記第三歯車と噛み合っている第四歯車が固定的に設置され、前記扇風機が回転し、設備の放熱スピードを速くすることを特徴とする請求項１に記載の水冷パソコンケース。
【請求項３】
前記カムチャンバの頂壁の中にはピストンチャンバが設置され、前記ピストンチャンバの中にはピストンがスライドできるように設置され、前記ピストンの中には左右対称のチェックバルブが設置され、前記ピストンチャンバと前記カムチャンバとの間には第二スライド孔が連通するように設置され、前記第二スライド孔の中には前記ピストンと固定的に連結された第二スライドロッドがスライドできるように設置され、前記第二スライドロッドと前記第二スライド孔の端壁との間には弾性リセット装置が弾性を持つように設置され、前記マザーボード架台の中には前記ピストンチャンバの頂壁に連通している第一冷却コイルが設置され、前記放熱チャンバの中には前記第一冷却コイルと連通している第二冷却コイルが設置され、前記第二冷却コイルの頂部末端が前記ピストンチャンバの底部に連通しており、前記ピストンが上下に移動して前記第一冷却コイルと前記第二冷却コイルとの中の冷却流体の循環を実現し、冷却のスピードを速くすることを特徴とする請求項２に記載の水冷パソコンケース。
【手続補正２】
【補正対象書類名】明細書
【補正対象項目名】全文
【補正方法】変更
【補正の内容】
【発明の詳細な説明】
【技術分野】
【０００１】
本発明はパソコングッズ分野に関し、具体的には水冷パソコンケースである。
【背景技術】
【０００２】
人々はパソコンを使うとき、常にマザーボードにあるチップの放熱スピードが低いため、パソコンのチップの温度が高すぎ、性能が下がる結果をもたらし、また伝統的なパソコンケースの取り付けが不便であり、メンテナンスが難しく、したがって、上記の問題を解決するため、水冷パソコンケースの発明は必要となる。
【先行技術文献】
【特許文献】
【０００３】
【特許文献１】中国特許出願公開第１０３７９３０２６号明細書
【発明の概要】
【発明が解決しようとする課題】
【０００４】
本発明は水冷パソコンケースを提供し、既存技術にある上記の欠点を解消し、設備の実用性を高めることを目的とする。
【課題を解決するための手段】
【０００５】
本発明の水冷パソコンケースは、パソコンケースと前記パソコンケースの左側端壁の中に位置している電気器具チャンバとを含み、前記電気器具チャンバの底壁の中には揺動チャンバが設置され、前記揺動チャンバの中には第一回転軸が回転できるように設置され、前記第一回転軸の外面には回転ドアとウォームホイールとが固定的に設置され、前記回転ドアの左側端壁にはパッドが固定的に設置され、前記揺動チャンバの右側端壁の中には伝動チャンバが設置され、前記伝動チャンバと前記揺動チャンバとの間には前記ウォームホイールと噛み合っているウォームロッドが回転できるように設置され、前記伝動チャンバの中の前記ウォームロッドの末端には第一傘歯車が固定的に設置され、前記電気器具チャンバの右側端壁の中には切換チャンバが設置され、前記切換チャンバと前記電気器具チャンバとの間にはネジスリーブが回転できるように設置され、前記切換チャンバの中の前記ネジスリーブの外面には第一歯車が固定的に設置され、前記ネジスリーブの左側端壁の中には左方に開口した第一ネジ孔が設置され、前記第一ネジ孔の中にはネジロッドがネジ山により結合され、前記ネジロッドの左方へ伸びている末端にはマザーボード架台が固定的に設置され、前記マザーボード架台の左側端壁にはマザーボードが固定的に設置され、前記電気器具チャンバの右側端壁の中には第一スライド孔が設置され、前記第一スライド孔の中には前記マザーボード架台と固定的に連結された第一スライドロッドが設置され、前記切換チャンバの左側端壁の中にはスライドチャンバが設置され、前記スライドチャンバの中にはスライドブロックがスライドできるように設置され、前記スライドブロックの右側端壁の中には第一モーターが設置され、前記第一モーターの右方へ伸びている末端には第二歯車が固定的に設置され、前記スライドブロックの中には上下に貫通している第二ネジ孔が設置され、前記第二ネジ孔の中には第二ネジロッドがねじ山により連結され、前記第二ネジロッドの頂部末端が前記スライドチャンバの頂壁の中に設置された第二モーターと動力が伝達できるように連結され、前記第二ネジロッドの底部末端が前記伝動チャンバの中に伸びており、且つ前記第二ネジロッドの底部末端には前記第一傘歯車と噛み合っている第二傘歯車が固定的に設置され、ウォームホイールが回転して前記回転ドアを連動回転させて開け、取り付けることとメンテナンスのことに便利を与える。
【０００６】
好ましくは、前記切換チャンバの右側端壁の中には放熱チャンバが設置され、前記放熱チャンバと前記切換チャンバとの間には第二回転軸が回転できるように設置され、前記切換チャンバの中の前記第二回転軸の末端には第三歯車が固定的に設置され、前記放熱チャンバの中の前記第二回転軸の末端には扇風機が固定的に設置され、前記放熱チャンバの頂壁の中にはカムチャンバが設置され、前記カムチャンバと前記切換チャンバとの間にはベルトチャンバが設置され、前記ベルトチャンバと前記カムチャンバとの間には第三回転軸が回転できるようにに設置され、前記ベルトチャンバの中の前記第三回転軸の末端には第一プーリが固定的に設置され、前記カムチャンバの中の前記第三回転軸の末端にはカムが固定的に設置され、前記ベルトチャンバと前記切換チャンバとの間には第四回転軸が回転できるように設置され、前記ベルトチャンバの中の前記第四回転軸の末端には第二プーリが固定的に設置され、前記第二プーリと前記第一プーリとの間がベルトにより伝動できるように連結され、前記切換チャンバの中の第四回転軸の末端には前記第二歯車と前記第三歯車と噛み合っている第四歯車が固定的に設置され、前記扇風機が回転し、設備の放熱スピードを速くする。
【０００７】
好ましくは、前記カムチャンバの頂壁の中にはピストンチャンバが設置され、前記ピストンチャンバの中にはピストンがスライドできるように設置され、前記ピストンの中には左右対称のチェックバルブが設置され、前記ピストンチャンバと前記カムチャンバとの間には第二スライド孔が連通するように設置され、前記第二スライド孔の中には前記ピストンと固定的に連結された第二スライドロッドがスライドできるように設置され、前記第二スライドロッドと前記第二スライド孔の端壁との間には弾性リセット装置が弾性を持つように設置され、前記マザーボード架台の中には前記ピストンチャンバの頂壁に連通している第一冷却コイルが設置され、前記放熱チャンバの中には前記第一冷却コイルと連通している第二冷却コイルが設置され、前記第二冷却コイルの頂部末端が前記ピストンチャンバの底部に連通しており、前記ピストンが上下に移動して、前記第一冷却コイルと前記第二冷却コイルとの中の冷却流体の循環を実現し、冷却のスピードを速くする。
【発明の効果】
【０００８】
本発明の有益な効果は：本発明のパソコンケースは自動的に開け又は閉めるドアが設置され、それによりマザーボード架台を設備の外部に送ることができ、取り付けることと後期のメンテナンスに便利であり、また設備の中には水冷循環装置が設置され、マザーボードの放熱スピードを速くすることができる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水冷パソコンケースの全体構造略図
【図２】図２は図１のＡの拡大構造略図
【図３】図３は図１の右側面図
【図４】図４は図１のＢの拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明の水冷パソコンケースは、パソコンケース１０と前記パソコンケース１０の左側端壁の中に位置している電気器具チャンバ４４とを含み、前記電気器具チャンバ４４の底壁の中には揺動チャンバ２９が設置され、前記揺動チャンバ２９の中には第一回転軸２７が回転できるように設置され、前記第一回転軸２７の外面には回転ドア４２とウォームホイール２８とが固定的に設置され、前記回転ドア４２の左側端壁にはパッド４３が固定的に設置され、前記揺動チャンバ２９の右側端壁の中には伝動チャンバ２４が設置され、前記伝動チャンバ２４と前記揺動チャンバ２９との間には前記ウォームホイール２８と噛み合っているウォームロッド２６が回転できるように設置され、前記伝動チャンバ２４の中の前記ウォームロッド２６の末端には第一傘歯車２５が固定的に設置され、前記電気器具チャンバ４４の右側端壁の中には切換チャンバ２１が設置され、前記切換チャンバ２１と前記電気器具チャンバ４４との間にはネジスリーブ３７が回転できるように設置され、前記切換チャンバ２１の中の前記ネジスリーブ３７の外面には第一歯車４５が固定的に設置され、前記ネジスリーブ３７の左側端壁の中には左方に開口した第一ネジ孔３９が設置され、前記第一ネジ孔３９の中にはネジロッド３８がネジ山により結合され、前記ネジロッド３８の左方へ伸びている末端にはマザーボード架台４０が固定的に設置され、前記マザーボード架台４０の左側端壁にはマザーボード４１が固定的に設置され、前記電気器具チャンバ４４の右側端壁の中には第一スライド孔４６が設置され、前記第一スライド孔４６の中には前記マザーボード架台４０と固定的に連結された第一スライドロッド４７が設置され、前記切換チャンバ２１の左側端壁の中にはスライドチャンバ３５が設置され、前記スライドチャンバ３５の中にはスライドブロック３３がスライドできるように設置され、前記スライドブロック３３の右側端壁の中には第一モーター３２が設置され、前記第一モーター３２の右方へ伸びている末端には第二歯車３１が固定的に設置され、前記スライドブロック３３の中には上下に貫通している第二ネジ孔３４が設置され、前記第二ネジ孔３４の中には第二ネジロッド３６がねじ山により連結され、前記第二ネジロッド３６の頂部末端が前記スライドチャンバ３５の頂壁の中に設置された第二モーター１５と動力が伝達できるように連結され、前記第二ネジロッド３６の底部末端が前記伝動チャンバ２４の中に伸びており、且つ前記第二ネジロッド３６の底部末端には前記第一傘歯車２５と噛み合っている第二傘歯車２３が固定的に設置され、ウォームホイール２８が回転して前記回転ドア４２を連動回転させて開け、取り付けることとメンテナンスのことに便利を与える。
【００１３】
有益的には、前記切換チャンバ２１の右側端壁の中には放熱チャンバ２０が設置され、前記放熱チャンバ２０と前記切換チャンバ２１との間には第二回転軸１８が回転できるように設置され、前記切換チャンバ２１の中の前記第二回転軸１８の末端には第三歯車１６が固定的に設置され、前記放熱チャンバ２０の中の前記第二回転軸１８の末端には扇風機１９が固定的に設置され、前記放熱チャンバ２０の頂壁の中にはカムチャンバ５６が設置され、前記カムチャンバ５６と前記切換チャンバ２１との間にはベルトチャンバ４９が設置され、前記ベルトチャンバ４９と前記カムチャンバ５６との間には第三回転軸５１が回転できるようにに設置され、前記ベルトチャンバ４９の中の前記第三回転軸５１の末端には第一プーリ５０が固定的に設置され、前記カムチャンバ５６の中の前記第三回転軸５１の末端にはカム５２が固定的に設置され、前記ベルトチャンバ４９と前記切換チャンバ２１との間には第四回転軸５４が回転できるように設置され、前記ベルトチャンバ４９の中の前記第四回転軸５４の末端には第二プーリ５５が固定的に設置され、前記第二プーリ５５と前記第一プーリ５０との間がベルト５３により伝動できるように連結され、前記切換チャンバ２１の中の第四回転軸５４の末端には前記第二歯車３１と前記第三歯車１６と噛み合っている第四歯車３０が固定的に設置され、前記扇風機１９が回転し、設備の放熱スピードを速くする。
【００１４】
有益的には、前記カムチャンバ５６の頂壁の中にはピストンチャンバ１１が設置され、前記ピストンチャンバ１１の中にはピストン１３がスライドできるように設置され、前記ピストン１３の中には左右対称のチェックバルブ１２が設置され、前記ピストンチャンバ１１と前記カムチャンバ５６との間には第二スライド孔５８が連通するように設置され、前記第二スライド孔５８の中には前記ピストン１３と固定的に連結された第二スライドロッド５７がスライドできるように設置され、前記第二スライドロッド５７と前記第二スライド孔５８の端壁との間には弾性リセット装置１４が弾性を持つように設置され、前記マザーボード架台４０の中には前記ピストンチャンバ１１の頂壁に連通している第一冷却コイル４８が設置され、前記放熱チャンバ２０の中には前記第一冷却コイル４８と連通している第二冷却コイル１７が設置され、前記第二冷却コイル１７の頂部末端が前記ピストンチャンバ１１の底部に連通しており、前記ピストン１３が上下に移動して前記第一冷却コイル４８と前記第二冷却コイル１７との中の冷却流体の循環を実現し、冷却のスピードを速くする。
【００１５】
下記に、出願人は付図１〜４及び以上に説明した本出願の水冷パソコンケースの具体的な構成を参考し、詳しくその使い方を紹介する：
【００１６】
第二モーター１５が始動されて第二ネジロッド３６を回転連動させ、それにより第二傘歯車２３と、第一傘歯車２５と、ウォームロッド２６と、ウォームホイール２８と第一回転軸２７とを回転連動させ、それにより回転ドア４２を回転連動させて開け、同時に第二ネジロッド３６が回転してスライドブロック３３を上方へ移動連動させ、それにより第二歯車３１を連動させて第一歯車４５と噛み合わせ、第一モーター３２を始動して回転させて第二歯車３１と、第一歯車４５とネジスリーブ３７とを回転連動させ、それによりマザーボード架台４０を連動させて電気器具チャンバ４４から張り出させ、このとき、マザーボード４１をマザーボード架台４０に固定して第一冷却コイル４８と貼り合わせ、このとき、第一モーター３２を始動して回転させてマザーボード４１を復帰連動させ、第二モーター１５を始動して反転させて回転ドア４２を連動させて閉め、同時にスライドブロック３３を下方へ移動連動させて復帰させ、このとき、第一モーター３２を始動して回転させて第二歯車３１と、第四歯車３０と第三歯車１６とを回転連動させ、第三歯車１６が回転して第二プーリ５５と、第一プーリ５０とカム５２とを順次に回転連動させ、それにより第二スライドロッド５７を上下に移動連動させ、それによりピストン１３を上下に移動連動させ、それにより第一冷却コイル４８と、第二冷却コイル１７とピストンチャンバ１７との中の冷却流体を循環に流れることを実現し、同時に第四歯車３０が回転して扇風機１９を回転連動させて第二冷却コイル１７を放熱させ、またピストンチャンバ１１の中の冷却流体自身が放熱し、それによりマザーボード４１が放熱することを実現できる。
【００１７】
以上の詳しい分析からわかっているのは：本発明のパソコンケースは自動的に開け又は閉めるドアが設置され、それによりマザーボード架台を設備の外部に送ることができ、取り付けることと後期のメンテナンスに便利であり、また設備の中には水冷循環装置が設置され、マザーボードの放熱スピードを速くすることができる。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。